(57)【要約】【課題】元の画面に別の画面が重畳表示されても、元の画面と別の画面の双方に対する操作を容易に行えるようにする。【解決手段】少なくとも１つの特定画像を含む特定画面３０が表示部に表示された状態でポップアップ条件が成立した場合、成立したポップアップ条件に応じたポップアップ画面５０が、特定画面３０を視認可能な状態で表示部に重畳表示される。特定画面３０及びポップアップ画面５０が重畳表示されている場合に、ポップアップ画面５０中の非特定画像に対する第１操作が検出された場合はその非特定画像に対応付けられた処理が実行され、特定画面３０中の特定画像に対する第２操作が検出された場合はその特定画像に対応付けられた処理が実行される。【選択図】図４
2018173780.tif 000002
【特許請求の範囲】
【請求項１】
表示部と、
前記表示部に対する指示体による指示操作された位置を検出可能なタッチパネルと、
制御部と、
を備えた表示制御装置であって、
前記制御部は、
少なくとも１つの特定画像を含む特定画面を前記表示部に表示させる特定画面表示処理と、
前記特定画面が表示されている状態で、特定のポップアップ条件が成立した場合、前記特定画面の表示は保持し、成立した前記ポップアップ条件に応じた画面であって少なくとも１つの非特定画像を含むポップアップ画面を、前記特定画面を視認可能な状態で前記表示部に重畳表示させるポップアップ画面表示処理と、
前記表示部に前記特定画面及び前記ポップアップ画面が表示されている状態で、前記ポップアップ画面中の前記非特定画像に対して前記タッチパネルを介して、前記指示体による前記指示操作として特定の第１操作が行われたことが検出された場合に、その第１操作が行われた前記非特定画像に対応付けられた処理を実行する非特定処理と、
前記表示部に前記特定画面及び前記ポップアップ画面が表示されている状態で、前記特定画面中の前記特定画像に対して前記タッチパネルを介して、前記指示体による指示操作として前記第１操作とは異なる特定の第２操作が行われたことが検出された場合に、その第２操作が行われた前記特定画像に対応付けられた処理を実行する特定処理と、
を実行する、表示制御装置。
【請求項２】
請求項１に記載の表示制御装置であって、
前記制御部は、前記表示部に前記特定画面及び前記ポップアップ画面が表示されている状態で、前記特定画面中の前記特定画像が前記指示体により指示操作されたことが検出された場合に、その指示操作が検出された位置に前記非特定画像が重畳表示されていない場合は、前記第１操作が検出された場合でも前記特定処理を実行するように構成されている、
表示制御装置。
【請求項３】
請求項１又は請求項２に記載の表示制御装置であって、
前記制御部は、前記表示部に前記特定画面及び前記ポップアップ画面が表示されている状態で、前記ポップアップ画面中の前記非特定画像が前記指示体により指示操作されたことが検出された場合に、その指示操作が検出された位置に前記特定画像が重畳表示されていない場合は、前記第２操作が検出された場合でも前記非特定処理を実行するように構成されている、
表示制御装置。
【請求項４】
請求項１〜請求項３のいずれか１項に記載の表示制御装置であって、
前記制御部は、
前記表示部に前記特定画面及び前記ポップアップ画面が表示されている状態で、前記特定画像及び前記非特定画像が重畳されておらずいずれか一方のみが表示されている領域に対して前記指示体による指示操作されたことが検出された場合、前記特定画像及び前記非特定画像のうち前記指示操作が検出された位置に表示されている操作対象画像を、前記指示操作される前とは異なる態様で表示させる画像態様変更処理、
を実行する、表示制御装置。
【請求項５】
請求項１〜請求項４のいずれか１項に記載の表示制御装置であって、
前記画像態様変更処理は、前記表示部に前記特定画面及び前記ポップアップ画面が表示
されている状態で、前記特定画像及び前記非特定画像が重畳表示されている領域に対して前記指示体による指示操作されたことが検出された場合、前記第１操作が検出されている間は、前記非特定画像を前記指示操作が検出される前とは異なる態様で表示させ、前記第２操作が検出されている間は、前記特定画像を前記指示操作が検出される前とは異なる態様で表示させるように構成されている、表示制御装置。
【請求項６】
請求項１〜請求項５のいずれか１項に記載の表示制御装置であって、
前記第１操作は、前記指示体による指示操作を起点とし、前記指示操作の開始後、前記指示操作が検出されている状態の継続時間が規定時間に到達する前に前記指示操作の検出が終了される操作であり、
前記第２操作は、前記指示体により指示操作が検出されている状態が前記規定時間以上継続された後に前記指示操作の検出が終了される操作である、
表示制御装置。
【請求項７】
請求項１〜請求項６のいずれか１項に記載の表示制御装置であって、
前記制御部は、
前記表示部に前記特定画面及び前記ポップアップ画面が表示されている状態で、前記特定画像に対する前記第２操作が検出されたことにより前記特定処理を実行した場合に、その特定処理の終了後、前記特定処理の実行前に成立していた前記ポップアップ条件がまだ成立している場合は、前記特定処理の実行前に表示されていた前記特定画面及び前記ポップアップ画面を再び前記表示部に重畳表示させる、再表示処理、
を実行する、表示制御装置。
【請求項８】
表示部と、
前記表示部に対する指示体による指示操作された位置を検出可能なタッチパネルと、
画像データを処理する少なくとも１つの画像処理部と、
制御部と、
を備えた画像処理装置であって、
前記制御部は、
少なくとも１つの特定画像を含む特定画面を前記表示部に表示させる特定画面表示処理と、
前記特定画面が表示されている状態で、特定のポップアップ条件が成立した場合、前記特定画面の表示は保持し、成立した前記ポップアップ条件に応じた画面であって少なくとも１つの非特定画像を含むポップアップ画面を、前記特定画面を視認可能な状態で前記表示部に重畳表示させるポップアップ画面表示処理と、
前記表示部に前記特定画面及び前記ポップアップ画面が表示されている状態で、前記ポップアップ画面中の前記非特定画像に対して前記タッチパネルを介して、前記指示体による前記指示操作として特定の第１操作が行われたことが検出された場合に、その第１操作が行われた前記非特定画像に対応付けられた処理を実行する非特定処理と、
前記表示部に前記特定画面及び前記ポップアップ画面が表示されている状態で、前記特定画面中の前記特定画像に対して前記タッチパネルを介して、前記指示体による指示操作として前記第１操作とは異なる特定の第２操作が行われたことが検出された場合に、その第２操作が行われた前記特定画像に対応付けられた、特定の前記画像処理部を用いた処理を実行する画像処理と、
を実行する、画像処理装置。
【請求項９】
表示部と、
前記表示部に対する指示体による指示操作された位置を検出可能なタッチパネルと、
を備えた表示制御装置において用いられる表示制御方法であって、
少なくとも１つの特定画像を含む特定画面を前記表示部に表示させる特定画面表示ステ
ップと、
前記特定画面が表示されている状態で、特定のポップアップ条件が成立した場合、前記特定画面の表示は保持し、成立した前記ポップアップ条件に応じた画面であって少なくとも１つの非特定画像を含むポップアップ画面を、前記特定画面を視認可能な状態で前記表示部に重畳表示させるポップアップ画面表示ステップと、
前記表示部に前記特定画面及び前記ポップアップ画面が表示されている状態で、前記ポップアップ画面中の前記非特定画像に対して前記タッチパネルを介して、前記指示体による前記指示操作として特定の第１操作が行われたことが検出された場合に、その第１操作が行われた前記非特定画像に対応付けられた処理を実行する非特定ステップと、
前記表示部に前記特定画面及び前記ポップアップ画面が表示されている状態で、前記特定画面中の前記特定画像に対して前記タッチパネルを介して、前記指示体による指示操作として特前記第１操作とは異なる特定の第２操作が行われたことが検出された場合に、その第２操作が行われた前記特定画像に対応付けられた処理を実行する特定ステップと、
を有する、表示制御方法。
【請求項１０】
表示部と、
前記表示部に対する指示体による指示操作された位置を検出可能なタッチパネルと、
制御部と、
を備えた表示制御装置における前記制御部が実行可能な表示制御プログラムであって、
前記制御部に、
少なくとも１つの特定画像を含む特定画面を前記表示部に表示させる特定画面表示処理と、
前記特定画面が表示されている状態で、特定のポップアップ条件が成立した場合、前記特定画面の表示は保持し、成立した前記ポップアップ条件に応じた画面であって少なくとも１つの非特定画像を含むポップアップ画面を、前記特定画面を視認可能な状態で前記表示部に重畳表示させるポップアップ画面表示処理と、
前記表示部に前記特定画面及び前記ポップアップ画面が表示されている状態で、前記ポップアップ画面中の前記非特定画像に対して前記タッチパネルを介して、前記指示体による前記指示操作として特定の第１操作が行われたことが検出された場合に、その第１操作が行われた前記非特定画像に対応付けられた処理を実行する非特定処理と、
前記表示部に前記特定画面及び前記ポップアップ画面が表示されている状態で、前記特定画面中の前記特定画像に対して前記タッチパネルを介して、前記指示体による指示操作として前記第１操作とは異なる特定の第２操作が行われたことが検出された場合に、その第２操作が行われた前記特定画像に対応付けられた処理を実行する特定処理と、
を実行させるための表示制御プログラム。
【発明の詳細な説明】
【技術分野】
【０００１】
本発明は、表示部への画像の表示を制御する技術に関する。
【背景技術】
【０００２】
ディスプレイに重畳配置されたタッチパネルを入力デバイスとして備えた各種装置が普及している。特許文献１には、ある表示オブジェクトがディスプレイに表示されているときに、別の表示オブジェクトを表示させるべき状態になった場合に、元々表示されている表示オブジェクトに対して別の表示オブジェクトを重畳表示させる技術が記載されている。
【先行技術文献】
【特許文献】
【０００３】
【特許文献１】特開２００６−３９４６９号公報
【発明の概要】
【発明が解決しようとする課題】
【０００４】
特許文献１に記載の技術では、別の表示オブジェクトが重畳表示されても元の表示オブジェクトを視認できるよう、別の表示オブジェクトが透明色で表示される。
しかし、別のオブジェクトが重畳表示されると、元の表示オブジェクトを視認はできるものの、元の表示オブジェクトに含まれているボタンを操作することができない。元の表示オブジェクトに表示されているボタンを操作するためには、重畳表示された別の表示オブジェクトを消去させるために必要な操作、処置等を行う必要がある。
【０００５】
本発明は上記課題に鑑みなされたものであり、元の画面に別の画面が重畳表示されても、元の画面と別の画面の双方に対する操作を容易に行えるようにすることを目的とする。
【課題を解決するための手段】
【０００６】
本発明の表示制御装置は、表示部と、タッチパネルと、制御部とを備える。タッチパネルは、表示部に対する指示体による指示操作された位置を検出可能に構成されている。制御部は、特定画面表示処理と、ポップアップ画面表示処理と、非特定処理と、特定処理とを実行する。
【０００７】
特定画面表示処理は、少なくとも１つの特定画像を含む特定画面を前記表示部に表示させる処理である。ポップアップ画面表示処理は、前記特定画面が表示されている状態で、特定のポップアップ条件が成立した場合、前記特定画面の表示は保持し、成立した前記ポップアップ条件に応じた画面であって少なくとも１つの非特定画像を含むポップアップ画面を、前記特定画面を視認可能な状態で前記表示部に重畳表示させる処理である。非特定処理は、前記表示部に前記特定画面及び前記ポップアップ画面が表示されている状態で、前記ポップアップ画面中の前記非特定画像に対して前記タッチパネルを介して、前記指示体による前記指示操作として特定の第１操作が行われたことが検出された場合に、その第１操作が行われた前記非特定画像に対応付けられた処理を実行する処理である。特定処理は、前記表示部に前記特定画面及び前記ポップアップ画面が表示されている状態で、前記特定画面中の前記特定画像に対して前記タッチパネルを介して、前記指示体による指示操作として前記第１操作とは異なる特定の第２操作が行われたことが検出された場合に、その第２操作が行われた前記特定画像に対応付けられた処理を実行する処理である。
【０００８】
このような構成によれば、特定画面にポップアップ画面が重畳表示された場合であって
も、ユーザは、特定画面及びポップアップ画面の双方を視認できる。そして、ポップアップ画面中の非特定画像に対しては第１操作を行うことによって処理を実行させることができ、特定画面中の特定画像に対しては第２操作を行うことによって処理を実行させることができる。そのため、特定画面にポップアップ画面が重畳表示されても、ユーザは、特定画面とポップアップ画面の双方に対する操作を容易に行うことが可能となる。
【図面の簡単な説明】
【０００９】
【図１】実施形態の画像処理装置のブロック図である。
【図２】待機画面を示す説明図である。
【図３】ポップアップ画面を示す説明図である。
【図４】ポップアップ重畳画面を示す説明図である。
【図５】待機画面表示処理を示すフローチャートである。
【発明を実施するための形態】
【００１０】
以下、本発明の実施形態について、図面を参照しながら説明する。
［１．実施形態］
（１−１）画像処理装置の構成
図１に示す実施形態の画像処理装置１０は、原稿の画像を読み取ってその読み取った画像の画像データを生成するスキャン機能、記録紙への画像の印刷を行う印刷機能、スキャン機能により読み取った画像を印刷機能により記録紙に印刷するコピー機能、ファクシミリデータの送受信を行うファクス機能などの、規定の複数の機能を備えている。
【００１１】
画像処理装置１０は、図１に示すように、制御部１１と、記憶部１２と、表示部１３と、入力部１４と、画像読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１２】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１３】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１４】
記憶部１２には、後述する各画面３０、５０、６０（図２〜図４参照）のデータを含む、表示部１３に表示させる各種画面のデータが記憶されている。また、記憶部１２には、後述する図５の待機画面表示処理のプログラムも記憶されている。
【００１５】
表示部１３は、例えば液晶ディスプレイや有機ＥＬディスプレイなどの、画像を表示可能な表示デバイスを有する。入力部１４は、各種入力操作を受け付けるための入力用デバイスを有する。入力部１４が有する入力用デバイスには、タッチパネル１４ａが含まれる。タッチパネル１４ａは、表示部１３の表示デバイスにおける画像が表示される画像表示領域に配置される。
【００１６】
タッチパネル１４ａは、表示部１３の画像表示領域に対する、指示体による接触又は近接による指示操作を検出可能である。即ち、タッチパネル１４ａは、表示部１３の画像表
示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。なお、タッチパネル１４ａは、指示操作として接触のみ検出可能な構成であってもよいし、近接のみ検出可能な構成であってもよいし、接触及び近接の両方を検出可能な構成であってもよい。指示操作を行うことが可能な指示体の具体的態様は種々考えられ、例えば、指先であってもよいし、スタイラスペンなどの特定の指示用デバイスであってもよい。
【００１７】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００１８】
制御部１１が検出可能な特定の操作としては、少なくとも、指示体により指示操作が行われた後、同じ位置で指示体が離れる操作であるタップ操作がある。さらに、制御部１１は、タップ操作のより具体的な態様として、短押し及び長押しを区別して検出可能である。短押しとは、指示体による指示操作が検出されない状態から検出された状態に変化した検出開始のタイミングを起点とし、その指示体の指示操作の検出開始後、指示操作が検出されている状態の継続時間が規定時間に到達する前に、指示体がタッチパネル１４ａから離間されて指示操作の検出が終了する操作である。長押しとは、指示体の指示操作の検出開始後、指示操作が検出されている状態が規定時間以上継続された後に、指示体がタッチパネル１４ａから離間されて指示操作の検出が終了する操作である。
【００１９】
画像読取部１５は、イメージセンサを備え、原稿の画像を読み取り、読み取った画像の画像データを生成する。印刷部１６は、インクジェット技術や電子写真技術の印刷機構を有し、シート状の記録紙に、画像データに基づく画像を印刷することが可能である。
【００２０】
画像処理装置１０は、記録紙をセットするための不図示の用紙トレイが少なくとも１つ設けられている。用紙トレイは、画像処理装置１０の本体に対して着脱可能である。ユーザは、用紙トレイ毎に、当該用紙トレイにセットされる記録紙のサイズおよびタイプを設定可能である。また、ユーザは、印刷機能又はコピー機能を用いて記録紙への印刷を実行させる際、用紙トレイを指定することができる。
【００２１】
制御部１１は、印刷機能又はコピー機能の実行時、ユーザにより用紙トレイが指定された場合は、その指定された用紙トレイにセットされている記録紙に対して印刷を行う。なお、ユーザにより用紙トレイが指定されていない場合は、例えば、予め決められたデフォルトの用紙トレイにセットされている記録紙に対して印刷を行う。
【００２２】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２３】
第１通信部１８は、画像処理装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して、他の各種サーバや各種情報処理装置などとデータ通信可能であってもよい。
【００２４】
第２通信部１９は、通信回線１００を通じて外部機器と通信を行うためのインタフェース部である。第２通信部１９に接続される通信回線１００は、本実施形態では例えば公衆電話網である。ファクス機能におけるファクシミリデータの送受信は、基本的には、第２通信部１９を介して行われる。
【００２５】
（１−２）待機画面の説明
画像処理装置１０に電源が投入されて制御部１１が起動すると、制御部１１は、表示部１３に、図２に示す待機画面３０を表示させる。待機画面３０は、ユーザが画像処理装置１０を利用して各種機能を実行させる際の起点となる画面である。
【００２６】
待機画面３０には、実行させる機能を選択させるための、機能毎の複数の機能ボタンが表示される。図２は、機能ボタンとして、ファクスボタン３１、コピーボタン３２及びスキャンボタン３３が表示されている例を示している。ファクスボタン３１がタップ操作されると、表示部１３の表示内容は、待機画面３０から、ファクス機能を実行させるための特定のファクス機能画面に切り替わる。ユーザは、そのファクス機能画面を介して、ファクス機能を利用することができる。コピーボタン３２がタップ操作されると、表示部１３の表示内容は、待機画面３０から、コピー機能を実行させるための特定のコピー機能画面に切り替わる。ユーザは、そのコピー機能画面を介して、コピー機能を利用することができる。スキャンボタン３３がタップ操作されると、表示部１３の表示内容は、待機画面３０から、スキャン機能を実行させるための特定のスキャン機能画面に切り替わる。ユーザは、そのスキャン機能画面を介して、スキャン機能を利用することができる。
【００２７】
待機画面３０には、上記の各機能ボタン３１、３２、３３の他にも、複数のボタン３４〜３７が表示される。各ボタン３４〜３７がタップ操作された場合も、表示部１３の表示内容は、待機画面３０から、タップ操作されたボタンに対応した画面に切り替わる。
【００２８】
待機画面３０が表示されている場合に、ポップアップ条件が成立すると、待機画面３０の表示は保持された状態で、さらに、その成立したポップアップ条件に応じた内容のポップアップ画面が表示部１３に表示される。つまり、待機画面３０に対してポップアップ画面が重畳して表示される。
【００２９】
ポップアップ条件は適宜設定してもよい。本実施形態では、ポップアップ条件として、例えば、用紙トレイが画像処理装置１０の本体から取り外されたこと、メディアＩ／Ｆ１７に記憶メディアが装着されたこと、などが設定されている。
【００３０】
用紙トレイが画像処理装置１０の本体から取り外された場合に待機画面３０に重畳表示されるポップアップ画面５０の一例を、図３に示す。図３に示すポップアップ画面５０には、サイズ設定ボタン５１と、タイプ設定ボタン５２と、ＯＫボタン５３とが表示される。
【００３１】
サイズ設定ボタン５１は、取り外された用紙トレイにセットする記録紙のサイズを設定するためのボタンである。タイプ設定ボタン５２は、取り外された用紙トレイにセットする記録紙のタイプを設定するためのボタンである。ＯＫボタン５３は、ポップアップ画面５０を消去させるためのボタンである。
【００３２】
ポップアップ画面５０は、表示部１３に単独で表示されるのではなく、実際には、図４に示すポップアップ重畳画面６０として、待機画面３０に対して半透明状態で重畳表示される。つまり、待機画面３０の表示中に、ポップアップ条件として例えば用紙トレイが取り外されたことが成立した場合、表示部１３には、図４に示すポップアップ重畳画面６０
が表示される。
【００３３】
ポップアップ重畳画面６０において、ポップアップ画面５０は、半透明状態、即ち待機画面３０を視認可能な状態で、重畳表示される。ユーザは、ポップアップ重畳画面６０が表示された場合、ポップアップ画面５０を視認できることはもちろん、待機画面３０についても引き続き視認することができる。
【００３４】
なお、図４は、画面の縦方向の長さが、待機画面３０よりもポップアップ画面５０の方が若干短くなって表示されている例を示している。待機画面３０に対してポップアップ画面５０をどのような大きさでどの位置に表示させるかについては適宜設定してもよい。
【００３５】
ポップアップ重畳画面６０において、ユーザは、待機画面３０中のボタン、及びポップアップ画面５０中のボタンのいずれも、指示操作することができる。例えば、待機画面３０中の各ボタン３１〜３７のいずれかにおける、ポップアップ画面５０の各ボタン５１〜５３が重畳されていない領域がタップ操作されると、そのタップ操作されたボタンに対応した画面に切り替わる。つまり、待機画面３０中の各ボタン３１〜３７のいずれかにおける、ポップアップ画面５０の各ボタン５１〜５３が重畳されていない領域に対しては、長押し及び短押しのいずれも受け付けられ、長押し又は短押しされたボタンに対応した画面に切り替わる。
【００３６】
この場合、ポップアップ画面５０は一旦消去され、タップされたボタンに応じた処理が行われる。そして、処理が終了して再び待機画面３０に遷移する際に、ポップアップ条件が依然として成立している場合は、再び、ポップアップ画面５０が半透明状態で重畳表示される。つまり、ポップアップ重畳画面６０が再び表示される。
【００３７】
また、ポップアップ重畳画面６０において、ポップアップ画面５０中の各ボタン５１〜５３のいずれかにおける、待機画面３０の各ボタン３１〜３７が重畳されていない領域がタップ操作されると、そのタップ操作されたボタンに対応した画面に切り替わる。つまり、ポップアップ画面５０中の各ボタン５１〜５３のいずれかにおける、待機画面３０の各ボタン３１〜３７が重畳されていない領域に対しては、長押し及び短押しのいずれも受け付けられ、長押し又は短押しされたボタンに対応した画面に切り替わる。
【００３８】
この場合、タップされたボタンに応じた処理が行われる。例えば、サイズ設定ボタン５１がタップ操作されると、記録紙サイズを選択させるための選択画面に切り替わり、その選択画面に応じた処理が行われる。また例えば、タイプ設定ボタン５２が短押しされると、記録紙タイプを選択させるための選択画面に切り替わり、その選択画面に応じた処理が行われる。ＯＫボタン５３がタップ操作された場合は、ポップアップ画面５０が消去されて待機画面３０のみが表示された状態となる。サイズ設定ボタン５１又はタイプ設定ボタン５２がタップ操作されたことにより対応する選択画面に遷移した後、その選択画面に応じた処理が終了すると、再び待機画面３０が表示される。この場合、ポップアップ画面５０は表示されず、待機画面３０のみ表示される。なお、この場合においても、ポップアップ条件が依然として成立している場合はポップアップ画面５０を半透明状態で重畳表示させてもよい。
【００３９】
ここで、ポップアップ重畳画面６０において、待機画面３０中の各ボタン３１〜３７の何れかとポップアップ画面５０の各ボタン５１〜５３の何れかが重畳された状態になっている領域を、ボタン重畳領域と称する。ポップアップ重畳画面６０中のボタン重畳領域がタップ操作された場合は、そのタップ操作が短押しか長押しかによって、処理内容が異なる。
【００４０】
ボタン重畳領域が短押しされた場合は、ポップアップ画面５０のボタンが有効化される。即ち、短押しされたボタン重畳領域において重畳した状態で存在している２つのボタンのうち、ポップアップ画面５０側のボタンに対応した画面に切り替わる。
【００４１】
一方、ボタン重畳領域が長押しされた場合は、待機画面３０のボタンが有効化される。即ち、長押しされたボタン重畳領域において重畳した状態で存在している２つのボタンのうち、待機画面３０側のボタンに対応した画面に切り替わる。
【００４２】
なお、待機画面３０中の各ボタン３１〜３７における、ポップアップ画面５０の各ボタン５１〜５３が重畳されていない領域に対しても、重畳されている領域と同様に短押しは受け付けずに長押しを受け付けるようにしてもよい。
【００４３】
ポップアップ重畳画面６０が表示されている場合に、待機画面３０中のボタン及びポップアップ画面５０中のボタンのいずれかに対する指示操作が検出された場合は、その指示操作が検出されたボタンの色が、通常時の色とは異なる色に切り替わる。
【００４４】
具体的に、ポップアップ画面５０中の各ボタン５１〜５３のいずれかにおける、待機画面３０の各ボタン３１〜３７が重畳されていない領域への指示操作が検出された場合は、ポップアップ画面５０におけるその指示操作が検出されたボタンの色が切り替わる。また、待機画面３０中の各ボタン３１〜３７のいずれかにおける、ポップアップ画面５０の各ボタン５１〜５３が重畳されていない領域への指示操作が検出された場合は、待機画面３０におけるその指示操作が検出されたボタンの色が切り替わる。
【００４５】
また、ボタン重畳領域に対する指示操作が検出された場合は、その検出後規定時間が経過するまで、即ち短押しが行われている間は、ポップアップ画面５０におけるその指示操作が検出されたボタンの色が切り替わる。そして、ボタン重畳領域への指示操作が検出された後、規定時間が経過した以後、即ち長押しが行われている間は、待機画面３０におけるその指示操作が検出されたボタンの色が切り替わる。
【００４６】
（１−３）待機画面表示処理
次に、図２〜図４を用いて説明した画面遷移を実現するために制御部１１が実行する待機画面表示処理について、図５を用いて説明する。制御部１１は、起動すると、図５の待機画面表示処理を実行する。
【００４７】
制御部１１は、図５の待機画面表示処理を開始すると、Ｓ１１０で、表示部１３に待機画面３０を表示させる。Ｓ１２０では、ポップアップ条件が成立したか否か判断する。ポップアップ条件が成立していない場合はＳ１１０に戻る。ポップアップ条件が成立した場合はＳ１３０に進む。
【００４８】
Ｓ１３０では、表示部１３において、待機画面３０に対してポップアップ画面５０を半透明状態で重畳表示させる。つまり、図４に例示したようなポップアップ重畳画面６０を表示させる。
【００４９】
Ｓ１４０では、ポップアップ画面５０内のボタンに対する指示操作が検出されたか否か判断する。ポップアップ画面５０内のボタンに対する指示操作が検出されていない場合は、Ｓ１５０に進む。Ｓ１５０では、待機画面３０内のボタンに対する指示操作が検出されたか否か判断する。待機画面３０内のボタンに対する指示操作が検出されていない場合は、Ｓ１４０に進む。
【００５０】
Ｓ１４０で、ポップアップ画面５０内のボタンに対する指示操作が検出された場合は、
Ｓ１６０に進む。Ｓ１６０では、ポップアップ画面５０内における指示操作が検出されたボタンの色を通常時とは異なる色に切り替える。Ｓ１７０では、指示体が離間したか否か、即ち指示体による指示操作が検出されなくなったか否かを判断する。指示体が離間していない場合、即ち指示体による指示操作が引き続き検出されている場合は、Ｓ２００に進む。
【００５１】
Ｓ２００では、指示体の指示操作が検出されてから規定時間が経過したか否か判断する。規定時間が経過した場合はＳ２１０に進み、規定時間が経過していない場合はＳ１７０に進む。Ｓ２１０では、ポップアップ画面５０内のボタンだけでなく待機画面３０内のボタンも同時に指示操作されているか否か、即ちボタン重畳領域が指示操作されているか否かを判断する。待機画面３０内のボタンは指示操作されていない場合は、Ｓ１７０に進む。
【００５２】
Ｓ１７０で、指示体が離間した場合、即ち指示体による指示操作が検出された場合は、Ｓ１８０に進む。なお、指示体検出から規定時間が経過する前にＳ１７０からＳ１８０に進んだ場合は、短押しが行われたことを意味する。また、指示体検出から規定時間が経過した後にＳ１７０からＳ１８０に進んだ場合は、長押しが行われたことを意味する。
【００５３】
Ｓ１８０では、指示操作されていたポップアップ画面５０内のボタンに対応した処理を実行し、その処理を終了すると、Ｓ１９０で、表示部１３に待機画面３０のみ表示させる。Ｓ１９０で待機画面３０を表示させた後は、Ｓ１１０に進む。
【００５４】
Ｓ２１０で、待機画面３０内のボタンも同時に指示操作されている場合は、Ｓ２２０に進む。Ｓ２２０では、指示操作されているポップアップ画面５０内のボタンの色を元の通常時の色に戻す。Ｓ２３０では、待機画面３０内における指示操作されているボタンの色を、通常時とは異なる色に切り替える。
【００５５】
Ｓ２４０では、Ｓ１７０と同様に、指示体が離間したか否かを判断する。指示体が離間していない場合はＳ２４０の判断処理を繰り返す。指示体が離間した場合は、Ｓ２５０に進む。Ｓ２５０では、指示操作されていた待機画面３０内のボタンに対応した処理を実行し、その処理を終了すると、Ｓ１１０に戻る。Ｓ１５０で、待機画面３０内のボタンに対する指示操作が検出された場合は、Ｓ２３０に進む。
【００５６】
（１−４）実施形態の効果
以上説明した実施形態によれば、以下の（１ａ）〜（１ｄ）の効果を奏する。
（１ａ）表示部１３にポップアップ重畳画面６０が表示された場合であっても、ユーザは、待機画面３０及びポップアップ画面５０の双方を視認できる。そして、各画面のボタンが重畳しているボタン重畳領域に対しては、短押しか長押しかを切り分けることで、指示操作対象のボタンを区別させることができる。即ち、ボタン重畳領域に対して短押しをすれば、ポップアップ画面５０内のボタンを有効化させてそのボタンに対応した処理を実行させることができる。一方、ボタン重畳領域に対して長押しをすれば、待機画面３０内のボタンを有効化させてそのボタンに対応した処理を実行させることができる。
【００５７】
そのため、待機画面３０にポップアップ画面５０が重畳表示されても、ユーザは、待機画面３０とポップアップ画面５０の双方に対する操作を容易に行うことができる。
（１ｂ）表示部１３にポップアップ重畳画面６０が表示された場合に、ポップアップ画面５０中のボタン及び待機画面３０中のボタンの何れも、各画面のボタンが重畳していない領域に対して指示操作が行われた場合は、短押しか長押しかにかかわらずその指示操作したボタンに対応した処理が実行される。そのため、ユーザは、２つのボタンが重畳しておらず１つのボタンのみ単独で表示されている領域に対しては、短押しか長押しかを区別
することなくその領域をタップ操作することで、対応する処理を容易に実行させることができる。
【００５８】
（１ｃ）表示部１３にポップアップ重畳画面６０が表示された場合に、ポップアップ画面５０中のボタン及び待機画面３０中のボタンの何れかが指示操作されると、その指示操作されたボタンの色が切り替わる。そのため、ユーザは、どのボタンが有効化されているのかを容易に視認できる。
【００５９】
特に、ボタン重畳領域が指示操作された場合、重畳状態になっている２つのボタンのうち、まずポップアップ画面５０内のボタンが有効化されて色が切り替わる。そして、指示操作が検出されてから規定時間が経過した後は、ポップアップ画面５０内のボタンは有効化が解除されて色も元に戻り、待機画面３０内のボタンが有効化されて色が切り替わる。つまり、ボタン重畳領域に対しては、短押しか長押しかを切り分けることで、重畳状態になっている２つのボタンを容易に区別して操作することができる。
【００６０】
（１ｄ）表示部１３にポップアップ重畳画面６０が表示された場合に、待機画面３０内のボタンへの指示操作によりそのボタンに対応した処理が実行されると、表示部１３の表示内容はその処理に対応した画面に切り替わる。そして、その処理が終了すると、再び待機画面３０が表示される。その待機画面３０が再び表示される際、ポップアップ条件がまだ成立している場合は、ポップアップ画面５０も再び重畳表示される。そのため、ユーザは、ポップアップ画面５０が重畳表示されている場合であっても、ポップアップ画面５０への指示操作よりも先に待機画面３０への指示操作を優先して行い、その後にポップアップ画面５０への指示操作を行うことができる。
【００６１】
（１−５）特許請求の範囲の文言との対応関係
ここで、実施形態の文言と特許請求の範囲の文言との対応関係について説明する。画像処理装置１０は表示制御装置の一例に相当する。記憶部１２に記憶されている、図５の待機画面表示処理のプログラムは、表示制御プログラムの一例に相当する。待機画面３０は特定画面の一例に相当する。待機画面３０内の各ボタン３１〜３７は特定画像の一例に相当する。ポップアップ画面５０内の各ボタン５１〜５３は非特定画像の一例に相当する。短押しは第１操作の一例に相当し、長押しは第２操作の一例に相当する。画像読取部１５及び印刷部１６は画像処理部の一例に相当する。
【００６２】
図５において、Ｓ１１０の処理は特定画面表示処理の一例に相当する。Ｓ１３０の処理はポップアップ画面表示処理の一例に相当する。Ｓ１８０の処理は非特定処理の一例に相当する。Ｓ２５０の処理は特定処理及び画像処理の一例に相当する。Ｓ１６０及びＳ２３０の処理は画像態様変更処理の一例に相当する。Ｓ２５０の処理の実行後に実行されるＳ１１０〜Ｓ１３０の処理は再表示処理の一例に相当する。
【００６３】
［２．他の実施形態］
以上、本発明の実施形態について説明したが、本発明は上述の実施形態に限定されることなく、種々変形して実施することができる。
【００６４】
（２−１）上記実施形態では、第１操作の一例として短押しを示し、第２操作の一例として長押しを示したが、第１操作及び第２操作はそれぞれ上記実施形態とは異なる操作であってもよい。
【００６５】
例えば、上記実施形態とは逆に、第１操作として長押しを採用し、第２操作として短押しを採用してもよい。また例えば、タッチパネル１４ａが指示体の押圧荷重を検出可能に構成されている場合は、押圧荷重に基づいて操作内容を区別してもよい。具体的に、例え
ば特定の荷重閾値未満の荷重で指示体により押圧されている状態を第１操作とし、荷重閾値以上の荷重で押圧されている状態を第２操作としてもよい。
【００６６】
（２−２）指示体の指示操作が検知されて有効化されたボタンを異なる態様で表示させる方法として、上記実施形態では、ボタンの色を切り替える例を示したが、他の方法を採用してもよい。例えば、有効化されたボタンを点滅表示させてもよい。
【００６７】
（２−３）本発明の特定画面は、上記実施形態の待機画面３０に限定されない。待機画面３０以外の画面においても、ポップアップ条件の成立によりポップアップ画面が表示される際は、上記実施形態と同様にポップアップ画面を半透明状態で重畳表示させ、双方の画像を操作可能にしてもよい。また、ポップアップ条件やポップアップ画面の具体的内容についても、上記実施形態で示した内容はあくまでも一例である。
【００６８】
（２−４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【００６９】
１０…画像処理装置、１１…制御部、１２…記憶部、１３…表示部、１４…入力部、１４ａ…タッチパネル、１５…画像読取部、１６…印刷部、１７…メディアインタフェース部、１８…第１通信部、１９…第２通信部、３０…待機画面、３１…ファクスボタン、３２…コピーボタン、３３…スキャンボタン、３４〜３７…ボタン、５０…ポップアップ画面、５１…サイズ設定ボタン、５２…タイプ設定ボタン、５３…ＯＫボタン、６０…ポップアップ重畳画面、１００…通信回線。
【図１】
2018173780.tif 000003
【図２】
2018173780.tif 000004
【図３】
2018173780.tif 000005
【図４】
2018173780.tif 000006
【図５】
2018173780.tif 000007